【手続補正書】
【提出日】平成18年2月22日(2006.2.22)
【手続補正１】
【補正対象書類名】明細書
【補正対象項目名】特許請求の範囲
【補正方法】変更
【補正の内容】
【特許請求の範囲】
【請求項１】
脂肪量増加抑制能力の検定方法であって、
（１）モノアシルグリセロールアシルトランスフェラーゼと被験物質との接触系内における前記モノアシルグリセロールアシルトランスフェラーゼの活性を測定する第一工程、及び
（２）第一工程により測定された活性と対照における活性とを比較することにより得られる差異に基づき前記物質の脂肪量増加抑制能力を評価する第二工程、
を有し、且つ、
前記モノアシルグリセロールアシルトランスフェラーゼが下記のいずれかの蛋白質であることを特徴とする脂肪量増加抑制能力の検定方法。
＜蛋白質群＞
（ａ）配列番号１、３又は１１で示されるアミノ酸配列からなる蛋白質
（ａ−１）配列番号１３、１５又は１７で示されるアミノ酸配列からなる蛋白質
（ｂ）配列番号１、３又は１１で示されるアミノ酸配列において、１もしくは複数のアミノ酸が欠失、付加もしくは置換されたアミノ酸配列からなり、かつモノアシルグリセロールアシルトランスフェラーゼ活性を有する蛋白質
（ｂ−１）配列番号１３、１５又は１７で示されるアミノ酸配列において、１もしくは複数のアミノ酸が欠失、付加もしくは置換されたアミノ酸配列からなり、かつモノアシルグリセロールアシルトランスフェラーゼ活性を有する蛋白質
（ｃ）配列番号１、３又は１１で示されるアミノ酸配列と８０％以上の配列同一性を有するアミノ酸配列からなり、かつモノアシルグリセロールアシルトランスフェラーゼ活性を有する蛋白質
（ｃ−１）配列番号１３、１５又は１７で示されるアミノ酸配列と８０％以上の配列同一性を有するアミノ酸配列からなり、かつモノアシルグリセロールアシルトランスフェラーゼ活性を有する蛋白質
（ｄ）配列番号２、４又は１２で示される塩基配列を有するＤＮＡによりコードされるアミノ酸配列からなる蛋白質
（ｄ−１）配列番号１４、１６又は１８で示される塩基配列を有するＤＮＡによりコードされるアミノ酸配列からなる蛋白質
（ｅ）配列番号２、４又は１２で示される塩基配列を有するＤＮＡと８０％以上の配列同一性を有する塩基配列を有するＤＮＡによりコードされるアミノ酸配列からなり、かつモノアシルグリセロールアシルトランスフェラーゼ活性を有する蛋白質
（ｅ−１）配列番号１４、１６又は１８で示される塩基配列を有するＤＮＡと８０％以上の配列同一性を有する塩基配列を有するＤＮＡによりコードされるアミノ酸配列からなり、かつモノアシルグリセロールアシルトランスフェラーゼ活性を有する蛋白質
（ｆ）配列番号２、４又は１２で示される塩基配列を有するＤＮＡと相補的な塩基配列からなるＤＮＡと、ストリンジェントな条件下でハイブリダイズするＤＮＡによりコードされるアミノ酸配列からなり、かつモノアシルグリセロールアシルトランスフェラーゼ活性を有する蛋白質
（ｆ−１）配列番号１４、１６又は１８で示される塩基配列を有するＤＮＡと相補的な塩基配列からなるＤＮＡと、ストリンジェントな条件下でハイブリダイズするＤＮＡによりコードされるアミノ酸配列からなり、かつモノアシルグリセロールアシルトランスフェラーゼ活性を有する蛋白質
【請求項２】
脂肪量増加抑制能力が、脂肪蓄積抑制能力であることを特徴とする請求項１記載の検定方法。
【請求項３】
請求項２記載の検定方法により評価された脂肪蓄積抑制能力に基づき脂肪蓄積抑制能力を有する物質を選抜することを特徴とする脂肪蓄積抑制物質の探索方法。
【請求項４】
脂肪量増加抑制能力が、リポ蛋白合成抑制能力であることを特徴とする請求項１記載の検定方法。
【請求項５】
請求項４記載の検定方法により評価されたリポ蛋白合成抑制能力に基づきリポ蛋白合成抑制能力を有する物質を選抜することを特徴とするリポ蛋白合成抑制物質の探索方法。
【請求項６】
モノアシルグリセロールアシルトランスフェラーゼ阻害能力を有する物質またはその薬学的に許容される塩を有効成分とすることを特徴とするリポ蛋白合成抑制剤。
【請求項７】
モノアシルグリセロールアシルトランスフェラーゼ阻害能力を有する物質がＮ−［２−（４−ベンジル−２−エチルフェノキシ）エチル］−５，６−ジメチル［１，２，４］トリアゾロ［１，５−ａ］ピリミジン−７−アミンであるとすることを特徴とする請求項６記載のリポ蛋白合成抑制剤。
【請求項８】
Ｎ−［２−（４−ベンジル−２−エチルフェノキシ）エチル］−５，６−ジメチル［１，２，４］トリアゾロ［１，５−ａ］ピリミジン−７−アミンを有効成分として含有する、モノアシルグリセロールアシルトランスフェラーゼ阻害剤。
【請求項９】
下記のいずれかのアミノ酸配列を有することを特徴とする蛋白質。
＜アミノ酸配列群＞
（ａ）配列番号１、３又は１１で示されるアミノ酸配列
（ａ−１）配列番号１３、１５又は１７で示されるアミノ酸配列
（ｂ）配列番号１、３又は１１で示されるアミノ酸配列において、１もしくは複数のアミノ酸が欠失、付加もしくは置換されたアミノ酸配列であって、かつモノアシルグリセロールアシルトランスフェラーゼ活性を有する蛋白質のアミノ酸配列
（ｂ−１）配列番号１３、１５又は１７で示されるアミノ酸配列において、１もしくは複数のアミノ酸が欠失、付加もしくは置換されたアミノ酸配列であって、かつモノアシルグリセロールアシルトランスフェラーゼ活性を有する蛋白質のアミノ酸配列
（ｃ）配列番号１、３又は１１で示されるアミノ酸配列と８０％以上の配列同一性を有するアミノ酸配列であって、かつモノアシルグリセロールアシルトランスフェラーゼ活性を有する蛋白質のアミノ酸配列
（ｃ−１）配列番号１３、１５又は１７で示されるアミノ酸配列と８０％以上の配列同一性を有するアミノ酸配列であって、かつモノアシルグリセロールアシルトランスフェラーゼ活性を有する蛋白質のアミノ酸配列
（ｄ）配列番号２、４又は１２で示される塩基配列を有するＤＮＡによりコードされるアミノ酸配列
（ｄ−１）配列番号１４、１６又は１８で示される塩基配列を有するＤＮＡによりコードされるアミノ酸配列
（ｅ）配列番号２、４又は１２で示される塩基配列を有するＤＮＡと８０％以上の配列同一性を有する塩基配列を有するＤＮＡによりコードされるアミノ酸配列であって、かつモノアシルグリセロールアシルトランスフェラーゼ活性を有する蛋白質のアミノ酸配列
（ｅ−１）配列番号１４、１６又は１８で示される塩基配列を有するＤＮＡと８０％以上の配列同一性を有する塩基配列を有するＤＮＡによりコードされるアミノ酸配列であって、かつモノアシルグリセロールアシルトランスフェラーゼ活性を有する蛋白質のアミノ酸配列
（ｆ）配列番号２、４又は１２で示される塩基配列を有するＤＮＡと相補的な塩基配列からなるＤＮＡと、ストリンジェントな条件下でハイブリダイズするＤＮＡによりコードされるアミノ酸配列であって、かつモノアシルグリセロールアシルトランスフェラーゼ活性を有する蛋白質のアミノ酸配列
（ｆ−１）配列番号１４、１６又は１８で示される塩基配列を有するＤＮＡと相補的な塩基配列からなるＤＮＡと、ストリンジェントな条件下でハイブリダイズするＤＮＡによりコードされるアミノ酸配列であって、かつモノアシルグリセロールアシルトランスフェラーゼ活性を有する蛋白質のアミノ酸配列
【請求項１０】
下記のいずれかのアミノ酸配列をコードする塩基配列を有することを特徴とする遺伝子。
＜アミノ酸配列群＞
（ａ）配列番号１、３又は１１で示されるアミノ酸配列
（ａ−１）配列番号１３、１５又は１７で示されるアミノ酸配列
（ｂ）配列番号１、３又は１１で示されるアミノ酸配列において、１もしくは複数のアミノ酸が欠失、付加もしくは置換されたアミノ酸配列であって、かつモノアシルグリセロールアシルトランスフェラーゼ活性を有する蛋白質のアミノ酸配列
（ｂ−１）配列番号１３、１５又は１７で示されるアミノ酸配列において、１もしくは複数のアミノ酸が欠失、付加もしくは置換されたアミノ酸配列であって、かつモノアシルグリセロールアシルトランスフェラーゼ活性を有する蛋白質のアミノ酸配列
（ｃ）配列番号１、３又は１１で示されるアミノ酸配列と８０％以上の配列同一性を有するアミノ酸配列であって、かつモノアシルグリセロールアシルトランスフェラーゼ活性を有する蛋白質のアミノ酸配列
（ｃ−１）配列番号１３、１５又は１７で示されるアミノ酸配列と８０％以上の配列同一性を有するアミノ酸配列であって、かつモノアシルグリセロールアシルトランスフェラーゼ活性を有する蛋白質のアミノ酸配列
（ｄ）配列番号２、４又は１２で示される塩基配列を有するＤＮＡによりコードされるアミノ酸配列
（ｄ−１）配列番号１４、１６又は１８で示される塩基配列を有するＤＮＡによりコードされるアミノ酸配列
（ｅ）配列番号２、４又は１２で示される塩基配列を有するＤＮＡと８０％以上の配列同一性を有する塩基配列を有するＤＮＡによりコードされるアミノ酸配列であって、かつモノアシルグリセロールアシルトランスフェラーゼ活性を有する蛋白質のアミノ酸配列
（ｅ−１）配列番号１４、１６又は１８で示される塩基配列を有するＤＮＡと８０％以上の配列同一性を有する塩基配列を有するＤＮＡによりコードされるアミノ酸配列であって、かつモノアシルグリセロールアシルトランスフェラーゼ活性を有する蛋白質のアミノ酸配列
（ｆ）配列番号２、４又は１２で示される塩基配列を有するＤＮＡと相補的な塩基配列からなるＤＮＡと、ストリンジェントな条件下でハイブリダイズするＤＮＡによりコードされるアミノ酸配列であって、かつモノアシルグリセロールアシルトランスフェラーゼ活性を有する蛋白質のアミノ酸配列
（ｆ−１）配列番号１４、１６又は１８で示される塩基配列を有するＤＮＡと相補的な塩基配列からなるＤＮＡと、ストリンジェントな条件下でハイブリダイズするＤＮＡによりコードされるアミノ酸配列であって、かつモノアシルグリセロールアシルトランスフェラーゼ活性を有する蛋白質のアミノ酸配列
【請求項１１】
請求項９記載の蛋白質からなる、下記の反応の触媒。
２又は１−モノアシルグリセロール＋アシル−ＣｏＡ  ⇒  １，２−ジアシルグリセロール＋ＣｏＡ